(57)【要約】【課題】長期間使用しても緩衝力の低下が生じることがなく、運動中に膝や関節などを痛めたりすることがない緩衝機能を備えた運動用台の提供。【解決手段】運動用台の基板１０と、前記基板１０の下部の少なくとも３位置に設けられた緩衝支持装置２０とからなり、この緩衝支持装置２０は、前記基板１０の下面に結合される上部壁２１、螺旋状の凹凸部が形成された側壁２２及び下部壁３０とを備え、この緩衝支持装置２０の螺旋状の凸部２３には、スプリング４０が内蔵されていることを特徴とする。基板１０の上部には、所定の間隔に離隔して設置された複数の第１指圧突起１１と、この第１指圧突起１１の上部に一体に形成された第２指圧突起１３とが設けられているとよい。【選択図】図３
2007312866.tif 000002
【特許請求の範囲】
【請求項１】
運動用台の基板（１０）と、
この基板の下部の３位置以上に設けられた緩衝支持装置（２０）とからなる緩衝機能を備えた運動用台であって、
前記緩衝支持装置（２０）は、前記基板の下面に結合される上部壁（２１）と、螺旋状の凹部及び螺旋状の凸部が形成された側壁（２２）と、下部壁（３０）とを備え、
前記緩衝支持装置の螺旋状の凸部（２３）には、スプリング（４０）が内蔵されている
ことを特徴とする緩衝機能を備えた運動用台。
【請求項２】
請求項１に記載された緩衝機能を備えた運動台において、
前記基板の上部には、所定の間隔に離隔して設置された複数の第１指圧突起（１１）と、
この第１指圧突起の上部に一体に形成された第２指圧突起（１３）とが設けられている
ことを特徴とする緩衝機能を備えた運動用台。
【請求項３】
請求項１又は２に記載された緩衝機能を備えた運動用台において、
前記下部壁の底面には、前記緩衝支持装置を載置面に固定するための複数の圧搾用穴（３３）と、空気を排出、流入させるための複数の凹状穴（３１）が形成されている
ことを特徴とする緩衝機能を備えた運動用台。
【請求項４】
請求項１又は２に記載された緩衝機能を備えた運動用台において、
前記螺旋状の凹部（２５）には、空気を排出、流入させるための複数のエア排出穴（２７）が形成されている
ことを特徴とする緩衝機能を備えた運動用台。
【請求項５】
請求項１又は２に記載された緩衝機能を備えた運動用台において、
前記緩衝支持装置（２０）は、内部に消音材（５０）が挿入されたものである
ことを特徴とする緩衝機能を備えた運動用台。
【請求項６】
運動用台の基板（１０）と、
前記基板の下部の３位置以上に設けられた緩衝支持装置（２０）とからなる緩衝機能を備えた運動用台であって、
前記緩衝支持装置（２０）は、空気を排出、流入させるため複数の穴（２３１）が穿孔されたシリンダー本体（２３０）と、このシリンダー本体に内蔵されたスプリング（２４０）と、一方の端部が前記基板（１０）に結合され、前記シリンダー本体（２３０）の上部中央を貫通し、他方の端部が前記スプリング（２４０）の上部に接するピストンロッド（２５０）とを備えているものである
ことを特徴とする緩衝機能を備えた運動用台。
【請求項７】
請求項６に記載された緩衝機能を備えた運動台において、
この基板の上部には、所定の間隔に離隔して設置された複数の第１指圧突起（１１）と、
この第１指圧突起の上部に一体に形成された第２指圧突起（１３）とが設けられている
ことを特徴とする緩衝機能を備えた運動用台。
【発明の詳細な説明】
【技術分野】
【０００１】
本発明は、地面、床面等載置面に載置して各種運動を行うための緩衝機能を備えた運動用台に関する。さらに詳しくは、運動用台の基板の上部に指圧効果を有する二重指圧突起を形成し、基板の下部に緩衝支持装置を設けた緩衝機能を備えた運動用台に関する。
【背景技術】
【０００２】
従来の運動用台１００は、平面視で四角形状の弾性体である踏み台１１０と、この踏み台１１０の下部の四つの角に設けられた支持脚体１３０とを備えている（図１参照）。この踏み台１１０の上面には、四角形状に形成された付着板１２０が設けられている。この付着板１２０は弾性体であるゴムで製造されている。
【０００３】
支持脚体１３０は、例えばポリウレタンのような材料で製造されている。ポリウレタンは弾性体で広い範囲の硬度を有している。このようなポリウレタンは、耐摩耗性、延伸率及び衝撃強度などにおいて、ゴムや一般プラスチックに比べ２〜５倍の高い機械的性質を持っている。
【０００４】
このような従来の運動用台１００は、平坦な地面、床面等載置面に置いて使用する。運動用台１００は、使用者が踏み台１１０の付着板１２０上に上がって歩いたり、走ったりすることで、下半身の運動を行うことができる。この運動時、付着板１２０に加えられた力（荷重）は、踏み台１１０、支持脚体１３０を介して地面、床面等に作用し伝達される。この時、付着板１２０、踏み台１１０、支持脚体１３０が、弾性変形して、作用した力（荷重）に対する衝撃力を減少させる。言い換えると、使用者が踏み台１１０側から受ける反作用力のうち、衝撃的な力を減少させ、使用者の膝などに衝撃的な力が加わらないように保護している。結果、使用者の膝などへの負担を軽減しながら、運動用台１００の付着板１２０の上でジャンプしたり、走ったりすることで下半身の運動が行えるようにしている。
【０００５】
しかしながら、従来の運動用台１００は、支持脚体１３０をポリウレタンのような材料のみで製造されているため、使用者が付着板１２０上で、ジャンプして着地する運動を繰り返した場合、運動用台１００の有する緩衝力が十分でなかった。結果として、使用者が愉快な運動感を感じることがなく、高くジャンプする場合や繰り返しジャンプする場合、使用者の膝などに加えられる衝撃的な力（負荷）を適切に軽減させることができないで、使用者が膝などを痛めたりするおそれが生じるという問題点があった。
一方、基板を支持するとともに、基板に加わる荷重を空気緩衝効果によって吸収し、使用者が膝など痛めるのを防止する技術が知られている（例えば、特許文献１，２参照）。
【特許文献１】大韓民国特許出願公開第２００３−００６８８３９号公報
【特許文献２】特表２００５−５０７２９１号公報
【発明の開示】
【発明が解決しようとする課題】
【０００６】
しかしながら、特許文献１に記載された技術では、ポリウレタンのような材料で製作された緩衝部材の上に運動用台が設けられている。しかし、この運動用台はポリウレタンで製作された緩衝部材を使用するため、長期間使用すると、緩衝力が劣化して緩衝部材が陥没し、緩衝作用がそれ以上発揮することができないという問題点があった。すなわち、使用者が、運動中に膝や関節などを痛めてしまうおそれがあるという問題点があった。また、上面が平坦な面状態になっているため、指圧作用のような効能を受けることができなかった。
【０００７】
また、幼児の体力向上、平衡感覚向上を図るものとして幼児用トランポリンがある。この幼児用のトランポリンは、跳躍してマット上に自分の体重がかかったときの反発力が強すぎ危険であるという問題点があり、トランポリンにかわる安全性の高い運動用台の開発が要望されていた。さらに、高齢者、歩行に障害のある人などの歩行訓練は、一般的には、平らな床面等で行われることが多いが、もう少し平衡感覚を鍛え、転倒防止、リハビリテーションなどに役立つような運動用台の開発も要望されていた。
【０００８】
本発明は、前記したような問題点を解決するためになされたもので、次のような目的を達成する。
本発明の目的は、長期間使用しても緩衝力が維持され緩衝力の低下が生じることがなく、運動中に、使用者が膝や関節などを痛めたりすることがない緩衝機能を備えた運動用台を提供することにある。
【０００９】
本発明の他の目的は、運動時に、使用者が二重指圧突起で指圧効果を得られるようにした緩衝機能を備えた運動用台を提供することにある。
【００１０】
本発明のさらに他の目的は、運動中に生じるエアの排出による騒音の発生を防止できる緩衝機能を備えた運動用台を提供することにある。
【００１１】
本発明のさらに他の目的は、設置される載置面に強く圧着されることで生じる真空作用で、載置面に対して運動中に動かないようにし、安全に運動ができるようにした緩衝機能を備えた運動用台を提供することにある。
【課題を解決するための手段】
【００１２】
本発明は、前記目的を達成するために次の手段をとる。
本発明１の緩衝機能を備えた運動用台は、
運動用台の基板と、この基板の下部の３位置以上に設けられた緩衝支持装置とからなる緩衝機能を備えた運動用台であって、この緩衝支持装置は、前記基板の下面に結合される上部壁と、螺旋状の凹部及び螺旋状の凸部が形成された側壁と、下部壁とを備え、前記緩衝支持装置の螺旋状の凸部には、スプリングが内蔵されていることを特徴としている。
【００１３】
本発明２の緩衝機能を備えた運動用台は、本発明１において、
前記基板の上部には、所定の間隔に離隔して設置された複数の第１指圧突起と、この第１指圧突起の上部に一体に形成された第２指圧突起とが設けられているが設けられていることを特徴とする。
【００１４】
本発明３の緩衝機能を備えた運動用台は、本発明１又は２において、
前記下部壁の底面には、前記緩衝支持装置を載置面に固定するための複数の圧搾用穴と、空気を排出、流入させるための複数の凹状穴が形成されていることを特徴とする。
【００１５】
本発明４の緩衝機能を備えた運動用台は、本発明１又は２において、
前記螺旋状の凹部には、空気を排出、流入させるための複数のエア排出穴が形成されていることを特徴とする。
【００１６】
本発明５の緩衝機能を備えた運動用台は、本発明１又は２において、
前記緩衝支持装置は、内部に消音材が挿入されたものであることを特徴とする。
【００１７】
本発明６の緩衝機能を備えた運動用台は、
運動用台の基板と、この基板の下部の３位置以上に設けられた緩衝支持装置とからなる緩衝機能を備えた運動用台であって、前記緩衝支持装置は、空気を排出、流入させるための複数の穴が穿孔されたシリンダー本体と、このシリンダー本体に内蔵されたスプリングと、一方の端部が前記基板に結合され、前記シリンダー本体の上部中央を貫通し、他方の端部が前記スプリングの上部に接するピストンロッドとを備えているものであることを特徴とする。
【００１８】
本発明７の緩衝機能を備えた運動用台は、本発明６において、
前記基板の上部には、所定の間隔に離隔して設置された複数の第１指圧突起と、この第１指圧突起の上部に一体に形成された第２指圧突起とが設けられていることを特徴とする。
【発明の効果】
【００１９】
本発明の緩衝機能を備えた運動用台は、緩衝支持装置にスプリングを内蔵しているため、長期間使用しても、緩衝力がそのまま維持され緩衝力が低下することがない。すなわち、長期間使用しても、使用者は、運動中に、膝や関節などに無理な負荷を与えられることがなく、膝や関節などを痛めることがない。また、使用者は、運動中に、二重指圧効果を得ることができる。
【００２０】
緩衝支持装置は、使用者の運動中に空気の排出、流入が生じるが、内部に消音部材を備えているため、空気の排出による騒音が発生することを防止できる。さらに、緩衝支持装置の底面の真空作用によって強く圧搾し、運動用台が載置面に対して、運動中に動かないようにでき安全に運動を行うことができる。
【００２１】
本発明の緩衝機能を備えた運動用台は、高齢者、歩行に障害のある人などの歩行訓練等に好適なものとすることができた。すなわち、歩行する場所によって、傾きの異なる運動用台は、平衡感覚を養うのに好適であり、高齢者、歩行に障害のある人などの転倒予防、リハビリテーションによる機能回復、機能低下防止などに効果がある。また、幼児が遊ぶ運動用台としても安全性が高く好適なものとすることができた。
【発明を実施するための最良の形態】
【００２２】
本発明の実施の形態を図面に基づいて詳細に説明する。
図２は、本発明の第１の実施の形態の緩衝機能を備えた運動用台を示す斜視図、図３は、第１の実施の形態の緩衝支持装置を図示した断面図、図４は、緩衝支持装置を下面側から図示した分解図である。
【００２３】
本発明の第１の実施の形態の緩衝機能を備えた運動用台は、運動用台の基板１０と、この基板１０の下部に設置される複数の緩衝支持装置２０とを含んでいる。基板１０と、複数の緩衝支持装置２０とは、強力な接着力を有する接着剤で固定してもよく、図示していないボルト・ナットとからなる固定装置によって固定してもよい。
【００２４】
基板１０の上部には、複数の第１指圧突起１１が、相対的に、所定の間隔をおいて離隔するように設置されている。この第１指圧突起１１の上部には、足の裏を押圧することで身体の各部に指圧の効果を得ることができる第２指圧突起１３が一体に形成されている。すなわち、手のひらや手の甲を押圧することで身体の調子を整えたり、免疫力を上げることができるといういわゆる手指針の効果に相当するような効果を得ることができる。第１指圧突起、第２指圧突起は、ゴム、ポリウレタンなどのような材質のもので製作されていることが好ましい。
【００２５】
また、基板１０の下部に設置される緩衝支持装置２０は、基板１０の安定を維持することができる数量、例えば少なくとも３個以上の複数個設置すればよく、各辺に沿って、４〜８個設置（例えば、第１の実施の形態を示す図２では４個設置）することが望ましい。
【００２６】
緩衝支持装置２０は、ゴム、ウレタン、または、シリコーンなどの材料で製作することができる。緩衝支持装置２０は、上面が閉じた形状の上部壁２１と、螺旋状凸部２３と螺旋状凹部２５とで形成されている側壁２２と、底面が開口された下部壁３０で構成されている。
【００２７】
側壁２２の内部にはスプリング４０が内蔵され、スプリング４０は螺旋状凸部２３に沿ってその内部に設置される。このようなスプリング４０は、ゴム、ウレタン、または、シリコーンなどのの材料で製作された緩衝支持装置２０が、所定の期間、使用されても陥没することを防止する。螺旋状凸部２３は、使用中に、スプリング４０が急に跳ね上がることを防止することができる。すなわち、側壁２２と、その中に内蔵されたスプリング４０は相互補完的な機能を有する。
【００２８】
側壁２２の螺旋状凸部２３の間に形成されている螺旋状凹部２５には、複数のエア排出穴２７が形成されている。このエア排出穴２７は、緩衝支持装置２０内部の空気を外部に排出するために設けられている。
このとき、エア排出穴２７から急に排出される空気によって騒音が発生する。これを防止するために、緩衝支持装置２０の内部の空間には、消音部材としての軟らかいスポンジ５０を設置していることが好ましい。スポンジ５０は、縮みやすく膨張しやすいことことから、緩衝支持装置２０とスプリング４０の緩衝作用によってともに作動することができる。
【００２９】
また、下部壁３０の底部には、複数の凹状穴３１が十字状に形成され、空気の排出、流入がしやすくなっている。この時、前述したスポンジ５０が、空気の出入りによる騒音の発生を防止する。
底部の凹状穴３１などの間には、複数の圧搾用穴３３が形成され、この圧搾用穴３３は地面、床面等載置面に設置されると真空作用をして、複数の緩衝支持装置２０が床面に堅固に圧搾固定される作用をする。圧搾用穴３３は、底面側のみが開口している止まり穴である。
【００３０】
第１の実施の形態の緩衝機能を備えた運動用台の作用の説明を行う。
緩衝機能を備えた運動用台は、平坦な地面、床面等載置面に設置すれば、複数の圧搾用穴３３によって底面が堅固に圧搾固定される。その後、使用者が、例えば、地面と運動用台の基板１０との間で、上り下りする運動を繰り返し行うことができる。また、基板１０の上部に上がって所定の位置でジャンプ、縄跳びなどの運動などをしてもよい。このような運動を行うと、基板１０に加えられた荷重が緩衝支持装置２０を介して地面、床面等載置面側に伝達される。このような動作によって、使用者は運動を行いながら、基板１０に形成された複数の二重突起から指圧効果を受けることができる。特に、第２指圧突起１３によって、手指針の効果に相当するような効果を得ることができる。また、長期間使用しても、緩衝力が低下することがなく、使用者は、運動中に、膝や関節などに無理な負荷を与えられることがなく、膝や関節などを痛めることがない。
【００３１】
また、使用者が運動をしたとき、緩衝支持装置は、収縮及び伸張運動を行う。すなわち、使用者が基板１０を押圧すれば、緩衝支持装置２０と内蔵されたスプリング４０が収縮し、緩衝支持装置２０内部の空気が、エア排出穴２７、凹状穴３１を介して外部に排出される。内部空気が、エア排出穴２７と凹状穴３１を介して外部に放出される時、スポンジ５０の作用によって騒音が発生しない。反対に、使用者が基板１０から離れ押圧力をなくせば、スプリング４０の復元力と外部からの空気の流入によって、緩衝支持装置２０が伸張するので、基板１０は元に状態に復帰する。
【００３２】
〔第２の実施の形態の緩衝機能を備えた運動用台〕
第２の実施の形態の緩衝機能を備えた運動用台は、緩衝支持装置を除き、前述した第１の実施の形態と同一のものである。なお、この第２の実施の形態の説明では、第１の実施の形態と同一な部位には、同一な符号を付与し詳細な説明を省略する。
図５は、第２の実施の形態の緩衝支持装置を示す断面図である。図５に従って、第２の実施の形態の緩衝支持装置について説明を行う。
【００３３】
第２の実施の形態の緩衝機能を備えた運動用台は、緩衝支持装置２２０を具備する。緩衝支持装置２２０は、複数の穴が穿孔されたシリンダー本体２３０と、シリンダー本体２３０に内蔵されたスプリング２４０と、一方の端部がスプリング２４０の上部に接し、他方の端部が運動用台の基板１０に結合されたピストンロッド２５０とを具備している。ピストンロッド２５０は、基板１０の下面に図示しない固定手段によって固定され、シリンダー本体２３０の上部中心を貫通してスプリング２４０の上部まで延在して設置されている。
【００３４】
第２の実施の形態の緩衝機能を備えた運動用台の作用の説明を行う。使用者が運動等をして、基板１０を押圧すれば、基板１０に結合されているピストンロッド２５０がシリンダー本体２３０内で降下しながらスプリング２４０を圧縮する。その動作で、シリンダー本体２３０の内部にあった空気が穴２３１を介して排出され緩衝作用が起こる。反対に、使用者が基板１０から離れ押圧力がなくなれば、スプリング２４０が伸張方向に復元し、その復元力によってピストンロッド２５０が上方側に移動する。
【００３５】
この第１、第２の実施の形態で説明した緩衝機能を備えた運動用台は、高齢者の歩行訓練等にも使用することができる。すなわち、本発明の運動用台は、緩衝支持装置を有することで、基板上を歩行する場所によって、基板の傾きが異なる。このような傾きが異なる状態になっても、平衡状態を維持して歩行できるように訓練することで平衡感覚を養うことができる。例えば、理学療法・リハビリテーションの一つとして採用されることが好ましい。すなわち、高齢者、歩行に障害のある人の歩行訓練に好適であり、高齢者の転倒予防、理学療法・リハビリテーションによる機能回復、機能低下防止などに効果がある。
【００３６】
なお、歩行訓練等に使用する場合には、複数の第１指圧突起と、この第１指圧突起の上部に一体に形成された第２指圧突起とからなる二重指圧突起はなくてもよい。基板の上面には、老齢者、歩行に障害のある人などが滑らないような滑り止め機能を有していることが好ましい。また、老齢者や、歩行に障害のある人などが、運動用台に昇降しやすくした工夫があるとさらによい。
【００３７】
また、幼児がトランポリンのように基板上で飛び跳ねると、緩衝支持装置を有することで基板が上下し、単なる台は異なる遊び方を楽しむことができる。また、体力向上、平衡感覚向上を図ることができる。そのとき、トランポリンのように大きな反発力を発生することがないので、安全性がたいへん高い。
【００３８】
以上、本発明の緩衝機能を備えた運動用台の実施の形態を説明したが、本発明は、この実施の形態に限定されることはない。本発明の目的、趣旨を逸脱しない範囲内での変更が可能であることはいうまでもない。
【図面の簡単な説明】
【００３９】
【図１】図１は、従来の運動用台を示す斜視図である。
【図２】図２は、本発明の第１の実施の形態の緩衝機能を備えた運動用台を示す斜視図である。
【図３】図３は、第１の実施の形態の緩衝支持装置を図示した断面図である。
【図４】図４は、緩衝支持装置を下面側から図示した分解図である。
【図５】図５は、本発明の第２の実施の形態の緩衝機能を備えた運動用台の緩衝支持装置を示す断面図である。
【符号の説明】
【００４０】
１０…運動用台の基板
１１…第１指圧突起
１３…第２指圧突起
２０…緩衝支持装置
２１…上部壁
２２…側壁
２３…螺旋状凸部
２４…螺旋状凹部
３０…下部壁
４０…スプリング
５０…スポンジ（消音部材）
２２０…緩衝支持装置
２３０…シリンダー本体
２４０…スプリング
２５０…ピストンロッド
【図１】
2007312866.tif 000003
【図２】
2007312866.tif 000004
【図３】
2007312866.tif 000005
【図４】
2007312866.tif 000006
【図５】
2007312866.tif 000007